(57)【要約】【課題】  電線の振動によって生じる巻付グリップの摺動や、曲や、捻れ等を抑制して巻付グリップの劣化を低減し、巻付グリップの耐久性を向上し得る電線支持装置を提供する。【解決手段】  電線支持装置１を基部２と支持具３により構成し、基部３に貫通孔５を形成し、電線に巻回された巻付グリップが纏掛け可能な湾曲形状の支持具３を貫通孔５に遊びを持たせて挿入し、その遊び分でもって支持具３が可動自在とした。【選択図】図１
2006288176.tif 000002
【特許請求の範囲】
【請求項１】
基部に貫通孔を形成し、電線に巻回された巻付グリップを纏掛け可能な湾曲形状の支持具を前記貫通孔に遊びを持たせて挿入し、その遊び分でもって前記支持具を可動自在としたことを特徴とする電線支持装置。
【請求項２】
前記支持具は、前記巻付グリップの外周面と面接触する断面凹曲面状の溝形状を有することを特徴とする請求項１記載の電線支持装置。
【発明の詳細な説明】
【技術分野】
【０００１】
本発明は、電柱に取り付けられ、低圧配電線などの電線を支持する電線支持装置に関する。
【背景技術】
【０００２】
電柱に取り付けられ、電力系統における低圧配電線（以下、単に電線と称す）を絶縁状態で支持する電線支持装置には、電力需要地などの配電線の終端で電線を支持する、いわゆる引き留めに用いられるものがある。このような電線支持装置は、電線に巻回された巻付グリップ（周囲が塩化ビニール等の絶縁部材で全体あるいは一部が覆われ、可撓性の在る線を意味する。以下、同様。）を纏掛けて支持可能な支持部を有し、例えば図３（ａ）、（ｂ）に示すようなものがある。同図に示すように、この電線支持装置１０は貫通孔１１と、貫通孔１１内周面に支持部１２を有している。
【０００３】
この電線支持装置１０によって電線を支持する方法としては、例えば巻付グリップの略中央を貫通孔１１に挿入した状態でＵ字状に折り曲げ、貫通孔１１にて折り返した巻付グリップの互いに対向する箇所を電線に巻回して支持するものがある。なお、１３は、電線の外周面と面接触するような半円弧状の凹溝であって、電線の終端間における任意の部位で電線を支持する、いわゆる電線の引き通しに利用されるものである。また、１４は、電線支持装置を電柱に装柱するときに用いられる固定用孔である。
【発明の開示】
【発明が解決しようとする課題】
【０００４】
ところで、架線された電線は風等の影響を受け易く、ギャロッピング現象等を生じて繰り返し振動することがある。従来の電線支持装置は巻付グリップを支持部に纏掛けて支持するものであるが、電線の繰り返し振動に伴って、巻付グリップが支持部を摺動する場合があり、この摺動に伴って巻付グリップと支持部との間に摩擦が生じ、巻付グリップが摩耗劣化する問題があった。一方で、巻付グリップが摺動しないように支持部に堅固に纏掛けると、電線の繰り返し振動によって、巻付グリップの支持部に接触する部分を支点として巻付グリップの曲げや、捻ねり等が繰り返し生じ、巻付グリップのうち、例えば支持部に接触する部分と非接触な部分との境目で巻付グリップの疲労劣化が生じる問題があった。斯かる巻付グリップの劣化が生じると、電線の支持が不十分となる恐れがあり、安定した電力供給の観点からも頻繁に巻付グリップの取替作業を行う必要が生じ、その取替作業に要する費用が増大する問題があった。
【０００５】
そこで、本発明の目的とするところは、電線の振動によって生じる巻付グリップの摺動や、曲がりや、捻れ等を抑制して巻付グリップの劣化を低減し、巻付グリップの耐久性を向上し得る電線支持装置を提供することにある。
【課題を解決するための手段】
【０００６】
本発明は上記課題を解決するため、基部に貫通孔を形成し、電線に巻回された巻付グリップを纏掛け可能な湾曲形状の支持具を貫通孔に遊びを持たせて挿入し、その遊び分でもって支持具を可動自在としたことを特徴とする電線支持装置を提供する。
【０００７】
本発明は、上記構成の如く、支持具が遊び分でもって可動自在に貫通孔に取り付けられており、この支持具に電線に巻回された巻付グリップを纏掛けて、電線を支持するものである。そのため、電線の繰り返し振動に伴って、巻付グリップが支持具を摺動するような外力が加わっても、支持具が巻付グリップの摺動方向に可動し、支持具における巻付グリップの摺動は抑制される。また、巻付グリップを支持具に摺動しないように堅固に纏掛ける場合には、電線の振動に伴って、巻付グリップと支持具は一体に可動して、巻付グリップの曲がりや、捻れ等を抑制することができる。
【０００８】
また、支持具は、巻付グリップの外周面と面接触する断面凹曲面状の溝形状を有するようにすることができる。このように支持具を構成することにより、支持具における巻付グリップの摺動をより一層抑制することが可能となる。
【発明の効果】
【０００９】
本発明は前述の如く、電線の振動によって生じる巻付グリップの摺動・曲がり・捻れ等を支持具の可動によって抑制することができるので、巻付グリップの劣化を低減し、その耐久性を向上させることができる。また、耐久性の向上に伴って、巻付グリップの長期間の使用が可能となるため、巻付グリップの取替作業の回数が減少すると共に、安定した電力供給が可能となる。
【発明を実施するための最良の形態】
【００１０】
以下、本発明の一実施形態について図面を用いて説明する。なお、本実施形態では、従来例を示す図３と同一の部位には、同一符号を付して詳しい説明を省略する。
【００１１】
図１（ａ）〜（ｃ）は、本実施形態に係る電線支持装置を例示したものである。電線支持装置１は、同図に示すように、基部２と、基部２に可動自在に取り付けられている支持具３とから成る。
【００１２】
基部２は、全体として棒状体であって、その長手方向に間隔を開けて例えば３つの凸部４が設けられている。各々の凸部には、基部の幅方向に向かって、貫通孔５が設けられている。
【００１３】
支持具３は、全体としてＵ字状の湾曲形状を成し、その開口部先端に向かって、互いに対向する辺の開口幅が徐々に狭められている。このような形状としたのは、後述するように巻付グリップの終端処理でその形状に合致させるためである。また、支持具３の外周面には、巻付グリップと面接触するような断面半円弧状の凹溝６が設けられ、これにより巻付グリップを支持具３に纏掛けて支持することを容易にしている。この支持具３は、基部２の各々の貫通孔５に遊びを持たせて挿入され、この遊び分でもって可動自在に取り付けられている。
【００１４】
本実施形態では、「遊び」は、図１（ｃ）に示すように、支持具３の内周面と、凸部４のうち支持具３の内周面と係合する係合部７の外周面との間に空間を持たせて形成している。この遊び分をもって、支持具３は、水平、垂直、および回転方向等に自在に可動することができる。
【００１５】
次に本実施形態に係る電線支持装置１の電線の支持方法を図２に例示し、以下に図面に基づいて説明する。なお、図中では、電線支持装置１の基部２は省略している。
【００１６】
同図に示すように、巻付グリップＢは、湾曲形状を成す支持具３の外周面に沿って形成された凹溝６に纏掛けられと共に、支持具３にてＵ字状に折り返した互いに対向する箇所を電線Ｗに螺旋状に巻回される。これによって、電線Ｗは、巻付グリップＢを介して支持具３に支持されている。このとき、電線Ｗの終端は、図示しない変圧器等に引き込まれている。
【００１７】
上記に電線の支持方法を例示したが、巻付グリップが纏掛られる支持具３は、遊び分でもって可動自在に貫通孔５に挿入されている。そのため、電線の振動によって生じる巻付グリップの摺動・曲がり・捻れ等を、支持具３が可動することで抑制し、巻付グリップの劣化を低減し、その耐久性を向上させることができる。また、耐久性の向上に伴って、巻付グリップの長期間の使用が可能となるため、巻付グリップの取替作業の回数が減少すると共に、安定した電力供給が可能となる。
【００１８】
また、支持具３の可動は、支持具３と貫通孔５の間に設けられた遊びによって実現されているため、ユニバーサルジョイントなどの特別な可動機構を要することなく、簡単な機構のみで電線の振動によって生じる巻付グリップの摺動、曲がり、捻れ等に対応することができる。
【００１９】
以上、本発明の一実施形態につき説明したが、本発明は上記実施形態に限定されることなく種々の変形が可能であって、例えば支持具３はＵ字状のものに限らず、一部に巻付グリップを纏掛け可能な湾曲形状を有していれば良く、また、貫通孔５は円形に限らず、任意の形状を選択することができる。また、「遊び」の程度は、電線に負荷される外力を考慮して、支持具３および貫通孔５の形状を適宜設定することによって、任意に選択することができる。また、支持具３の数は適宜選択することができ、その配列も直線的に配列したものに限らず、平面的あるいは立体的に配列したものであっても良い。
【図面の簡単な説明】
【００２０】
【図１】本発明に係る実施形態を示す図であって、（ａ）は正面図、（ｂ）は平面図、（ｃ）は（ａ）のＡ−Ａ断面図である。
【図２】電線の支持方法を例示した概略図である。
【図３】従来の電線支持装置を示す図であって、（ａ）は正面図、（ｂ）は（ａ）のＢ−Ｂ断面図である。
【符号の説明】
【００２１】
１    電線支持装置
２    基部
３    支持具
３    支持部
４    凸部
５    貫通孔
６    凹溝
７    係合部
Ｗ    電線
Ｂ    巻付グリップ
【図１】
2006288176.tif 000003
【図２】
2006288176.tif 000004
【図３】
2006288176.tif 000005